(57)【要約】【課題】強風の状況下であっても、メンテナンスを行うことのできる浮体式風力発電設備のメンテナンス方法及び浮体式風力発電設備を提供する。【解決手段】中空部を有する浮体部１２と、浮体部１２の浮力によって水面より上に配置されたナセル３と、を有する浮体式風力発電設備１のメンテナンス方法であって、浮体部１２の浮力を調整して、発電する際よりもナセル３の位置を下降させてからナセル３のメンテナンスを行う。【選択図】図２
2019152139.tif 000002
【特許請求の範囲】
【請求項１】
中空部を有する浮体部と、前記浮体部の浮力によって水面より上に配置されたナセルと、を有する浮体式風力発電設備のメンテナンス方法であって、
前記浮体部の浮力を調整して、発電する際よりもナセルの位置を下降させてから前記ナセルのメンテナンスを行うことを特徴とする浮体式風力発電設備のメンテナンス方法。
【請求項２】
前記ナセルを下降させる際には、前記中空部に注水することを特徴とする請求項１に記載の浮体式風力発電設備のメンテナンス方法。
【請求項３】
前記ナセルを下降させた際には、ブレードをメンテナンス船で支持することを特徴とする請求項１に記載の浮体式風力発電設備のメンテナンス方法。
【請求項４】
中空部を有する浮体部と、前記浮体部の浮力によって水面より上に配置されたナセルと、を有する浮体式風力発電設備であって、
前記浮体部には、開閉可能、かつ開放した場合に前記中空部に注水を行う通水口が設けられていることを特徴とする浮体式風力発電設備。
【発明の詳細な説明】
【技術分野】
【０００１】
本発明は、浮体式風力発電設備のメンテナンス方法及び浮体式風力発電設備に関するものである。
【背景技術】
【０００２】
従来、浮体式風力発電設備として、浮体部と、浮体部の上に立設されたタワー部と、タワー部の先端に取り付けられたナセルと、ナセルの前面に取り付けられたブレードとを有しているものがある。この浮体式風力発電設備は、洋上において、風によってブレードを回転させて発電を行うものである（例えば、特許文献１参照）。
【先行技術文献】
【特許文献】
【０００３】
【特許文献１】特開２００２−２８５９５１号公報
【発明の概要】
【発明が解決しようとする課題】
【０００４】
ところで、ナセルは、ブレードの長さ以上、水面から高い位置に配置される。従って、メンテナンスを行う場合は、ナセルの位置まで登る必要があり、煩雑であるという問題があった。
【０００５】
本発明は、上記に鑑みてなされたものであって、メンテナンスを容易に行うことができる浮体式風力発電設備のメンテナンス方法及び浮体式風力発電設備を提供することを目的とする。
【課題を解決するための手段】
【０００６】
上述した課題を解決し、目的を達成するために、本発明に係る浮体式風力発電設備のメンテナンス方法は、中空部を有する浮体部と、前記浮体部の浮力によって水面より上に配置されたナセルと、を有する浮体式風力発電設備のメンテナンス方法であって、前記浮体部の浮力を調整して、発電する際よりもナセルの位置を下降させてから前記ナセルのメンテナンスを行うことを特徴とする。
【０００７】
本発明に係る浮体式風力発電設備のメンテナンス方法においては、前記ナセルを下降させる際には、前記中空部に注水するとよい。
【０００８】
本発明に係る浮体式風力発電設備のメンテナンス方法においては、前記ナセルを下降させた際には、ブレードをメンテナンス船で支持するとよい。
【０００９】
本発明に係る浮体式風力発電設備は、中空部を有する浮体部と、前記浮体部の浮力によって水面より上に配置されたナセルと、を有する浮体式風力発電設備であって、前記浮体部には、開閉可能、かつ開放した場合に前記中空部に注水を行う通水口が設けられていることを特徴とする。
【発明の効果】
【００１０】
上述の浮体式風力発電設備のメンテナンス方法によれば、浮体部の浮力を調整することにより、ナセルの位置を水面近くにしてからメンテナンスを行うことができるので、容易にメンテナンスを行うことができる。
【００１１】
また、上述の浮体式風力発電設備によれば、中空部に注水を行う通水口が設けられているので、浮体部に注水をおこなうことにより、ナセルを水面近くに配置することができ、容易にメンテナンスを行うことができる。
【図面の簡単な説明】
【００１２】
【図１】図１は、本発明の実施の形態における浮体式風力発電設備が発電位置に配置された状態を示す背面図である。
【図２】図２は、本発明の実施の形態における浮体式風力発電設備がメンテナンス位置に配置された状態を示す背面図である。
【発明を実施するための形態】
【００１３】
以下に添付図面を参照して、本発明に係る浮体式風力発電設備のメンテナンス方法及び浮体式風力発電設備の好適な実施形態について詳細に説明する。先ず、浮体式風力発電設備について説明する。浮体式風力発電設備１は、図１に示すように、洋上に設置されるものであり、円柱状の基礎部１１と、基礎部１１の上に配設された円筒状の浮体部１２と、浮体部１２の上端部に配設されたナセル３と、ナセル３の前面に設置されたブレード４とを備えている。
【００１４】
基礎部１１は、コンクリートブロック製である。基礎部１１は、浮体部１２を水面に対して略垂直に配置するための錘である。浮体部１２は、鋼製であり、内部に中空部１３を有している。浮体部１２は、基礎部１１の上端側に、基礎部１１と連続して配設されており、基礎部１１と同軸配置となっている。浮体部１２は、基礎部１１と同径である。浮体部１２の下端部側面には、中空部１３に注水するための通水口１５が形成されている。通水口１５は、開閉可能なもので、開放したときは、浮体部１２の外部と中空部１３とを連通し、閉鎖したときは、水密性を保つものである。浮体部１２の上部には、通気口１４が設けられている。通気口１４は、浮体部１２の外部と中空部１３とを連通するものである。
【００１５】
浮体部１２の中空部１３内には、排水機構１６が設置されている。排水機構１６は、中空部１３内の水を通水口１５から排水するものである。排水機構１６は、空気圧で、水を外に押し出す方式のものである。排水機構１６は、通気口１４から空気を取り入れる。
【００１６】
ナセル３は、中空の直方体状に形成されている。ナセル３は、後面に開閉可能な出入口２１を備えている。出入口２１は、開放したとき、ナセル３の内外を連通し、閉鎖したとき水密性を保つ。出入口２１は、人が通れる大きさに形成されている。ナセル３内には、発電機や増速器、制御機器等の風力発電に必要な機器類が設置されている。
【００１７】
ブレード４は、ナセル３の前面に２枚、ナセル３の前後方向に平行な回転軸を中心として回転可能に配設されている。一方のブレード４は、他方のブレード４をナセル３の前後方向に平行な回転軸を中心として１８０度回転させた位置に配設されている。ブレード４は、風を受けて回転し、その回転が発電機に伝達され、発電が行われる。
【００１８】
続いて、浮体式風力発電設備１のメンテナンス方法の手順について説明する。先ず、浮体式風力発電設備１は、図１に示す、発電位置に配置されているものとする。発電位置とは、ブレード４が風を受けて回転し、その回転により発電を行う位置である。浮体部１２は、洋上に浮かべられ、１本の係留ワイヤー２２によって、海底に配設された１つのコンクリート製のアンカー２３に係留されている。浮体部１２は、アンカー２３を海底に３つ配設して、それぞれのアンカー２３に対応する係留ワイヤー２２によって３点係留してもよい。浮体部１２の一端部は、水上に有り、浮体部１２の他端部は、水面下に有る。発電位置において、基礎部１１は、水中に位置し、通水口１５も水中に位置する。ナセル３は、ブレード４が風を受けて回転することにより発電する際に、ブレード４が水面に当たらない高さに配置されている。
【００１９】
この状態の際に、まず、ブレード４を略水面と平行となる位置に停止させる。その後に、メンテナンス船３１を浮体式風力発電設備１のブレード４の下側に浮体２を挟むように二艘配置する。メンテナンス船３１は、ブレード４を受け止める緩衝部３２を船上に前後方向に並べて２つ備えている。メンテナンス船３１は、船尾に防舷材３３を備え、船底にスラスター３４を備えている。メンテナンス船３１は、船尾が浮体２側に位置するように配置する。メンテナンス船３１の位置の調整は、スラスター３４によって行う。
【００２０】
その後に、通水口１５を開放し、中空部１３に注水して浮体部１２の浮力を小さくするように調整する。中空部１３内の空気は、通気口１４から抜け、代わりに通水口１５から水が入ってくる。そうすると、設備全体が下降するとともに、ナセル３が下降し、ナセル３の位置が徐々に水面に近づいてくる。図２に示すように、ブレード４が、メンテナンス船３１の緩衝部３２に支持されるようになったら（メンテナンス位置）、通水口１５を閉じる。そうすると、浮体式風力発電設備１は、ブレード４がメンテナンス船３１に支持された状態で安定する。この状態で、ブレード４のメンテナンスを行ったり、ナセル３の外側のメンテナンスを行ったり、出入口２１からナセル３内に入って、ナセル３内に設置されている機器等のメンテナンスを行う。
【００２１】
メンテナンスが終了したら、排水機構１６を使用し、中空部１３内の水を排水し、再び浮体部１２の浮力を大きくするように調整する。浮体式風力発電設備１は、中空部１３内の水を排水するにしたがって、上昇する。水を全部排水し終わると、浮体式風力発電設備１は、発電位置まで上昇する。そして、浮体式風力発電設備１は、再び、発電を行う。
【００２２】
本実施の形態の浮体式風力発電設備のメンテナンス方法によれば、浮体部１２の浮力を調整することにより、ナセル３の位置を低下させてメンテナンスを行うので、ナセル３やブレード４のメンテナンスを容易に行うことができる。
【００２３】
本実施の形態では、ブレード４の数は２本であるが、３本でもよい。本実施の形態では、ナセル３をブレード４がメンテナンス船３１に支持される位置まで下降してからメンテナンスを行っているが、メンテナンスを行う際のナセル３の位置は、発電する際の位置よりも下降した位置であればよい。本実施の形態では、ナセル３が浮体部１２に直接支持されているが、これに限られず、ナセル３が浮体部１２の浮力によって水面より上に配置されていればよい。本実施の形態では、基礎部１１は、コンクリートブロック製であるが、鋼製でもよい。本実施の形態では、浮体部１２は、鋼製であるが、コンクリート製でもよい。本実施の形態では、排水機構１６は、空気圧で水を通水口１５から外に押し出す方式のものであるが、通水口１５を閉鎖し、ポンプで排水するようにしても良い。この場合、浮体の上部に、排水口を設けるとよい。本実施の形態では、ナセル３の出入口２１は、ナセル３の後面に備えられているが、浮体部１２内からナセル３に出入りするようにしてもよい。その場合、浮体部１２の側面に出入口を形成する。この出入口は、開放したとき、中空部１３と外部を連通する位置に形成するとよい。尚、この場合、中空部１３とナセル３との内部とを連通する孔が形成されている。
【符号の説明】
【００２４】
１    浮体式風力発電設備
３    ナセル
４    ブレード
１２    浮体部
【図１】
2019152139.tif 000003
【図２】
2019152139.tif 000004